(57)【要約】【課題】受信した信号と所定の信号パターンとを比較し、情報の検知が可能か否かを判定する信号検知システムを提供する。【解決手段】波形判定回路２６０は、サンプリング処理部２６２、波形データ判定部２６４および正常データ格納部２６６から構成される。波形判定回路２６０は、これらの構成部分により、応答器３から受信した搬送波の波形から、受信信号に含まれる応答データを安定して検知できるか否かを判定する。また、波形判定回路２６０は、判定結果を制御部２０２に対して出力する。【選択図】図５
2008191801.tif 000002
【特許請求の範囲】
【請求項１】
応答器から所定の情報を含む信号を受信する信号受信手段と、
所定の信号パターンを格納する信号パターン格納手段と、
前記受信した信号と前記所定の信号パターンとを比較し、前記所定の情報の検知が可能か否かを判定する判定手段と、
前記判定手段の判定結果を表示する表示手段と
を有する信号検知システム。
【発明の詳細な説明】
【技術分野】
【０００１】
本発明は、信号検知システムに関する。
【背景技術】
【０００２】
物品の物流管理方法として、所定時間間隔で個別のＩＤコードデータを発信する小型発信器（ＩＣタグ）を物品に取付けて、ＩＤコードデータをリーダと呼ばれる受信機で検出することにより、物品の流通を管理する方法がある。
上記方法において、金属等の導電性物品にＩＣタグを取付けた場合と、非導電性物品にＩＣタグを取付けた場合とでは、発信出力が大きく異なり、導電性物品に取付けたＩＣタグの発信出力は極めて弱くなる。
たとえば、特許文献１は、所定時間間隔で電波に乗せて個別のＩＤコードデータをアンテナ部から発信するＩＣタグを導電性物品又はその包装物に取付けて物流を管理する導電性物品の物流管理システムを開示する。
【特許文献１】特開２００４−７０４１３号公報
【発明の開示】
【発明が解決しようとする課題】
【０００３】
本発明は、上述した背景からなされたものであり、受信した信号と所定の信号パターンとを比較し、情報の検知が可能か否かを判定する信号検知システムを提供することを目的とする。
【課題を解決するための手段】
【０００４】
上記目的を達成するために、本発明に係る信号検知システムは、応答器から所定の情報を含む信号を受信する信号受信手段と、所定の信号パターンを格納する信号パターン格納手段と、前記受信した信号と前記所定の信号パターンとを比較し、前記所定の情報の検知が可能か否かを判定する判定手段と、前記判定手段の判定結果を表示する表示手段とを有する。
【発明の効果】
【０００５】
本発明によれば、受信した信号と所定の信号パターンとを比較し、情報の検知が可能か否かを判定する信号検知システムを提供できる。
【発明を実施するための最良の形態】
【０００６】
［本発明の背景］
本発明の理解を助けるために、まず、本発明がなされるに至った背景を説明する。
【０００７】
図１は、信号検知システム１の構成を示す図である。
図１に示すように、信号検知システム１は、質問器２、応答器３−１〜３−Ｎ（Ｎは１以上の整数）および管理端末１２から構成される。
なお、以下の各図においては、図示の具体化および明確化のために、本発明の説明に必要ない構成部分については、適宜省略されている。
さらに、以下、応答器３−１〜３−Ｎなど、複数ある構成部分のいずれかを特定せずに示す場合には、単に応答器３などと略記することがある。
【０００８】
質問器２は、応答器３に対して、電力波および質問データを含む信号を送信する。
ここで、質問データとは、応答器３を制御するためのデータであり、たとえば、応答器３に格納されたＩＤなどの情報の読み出し、あるいは応答器３内のメモリに対する所定の情報の書き込みなどといった命令を含む。
応答器３は、たとえば製品に貼付されるＩＣタグであり、質問器２から信号を受信し、受信した信号に含まれる電力波を利用して、電磁誘導によって応答器３自身の動作のための電力を得る。
また、応答器３は、自身が貼付している製品等に関するＩＤデータなどのデータを格納する。
さらに、応答器３は、受信した信号に含まれる質問データに基づいて、データの書き込み、読み出しなどの処理を行い、行った処理に関連する応答データを含む信号を質問器２に対して送信する。
【０００９】
質問器２は、応答器３からの応答データを含む信号を受信し、受信した応答データを管理端末１２に対して送信する。
管理端末１２は、質問器２からの応答データをモニタなどに表示する。
【００１０】
図２は、図１に示した質問器２の構成を示す図である。
図２に示すように、質問器２は、アンテナ２００、制御部２０２、データ送信部２０４、搬送波発生部２０６、変調器２０８、送信増幅器２１０、分配合成器２１２、検波器２２０、受信増幅器２２２、復調器２２４およびレベル変換器２２６から構成される。
【００１１】
質問器２において、制御部２０２は、質問器２の構成部分全体を制御する。
また、制御部２０２は、応答器３に送信する質問データを作成し、作成した質問データをデータ送信部２０４に対して出力する。
データ送信部２０４は、制御部２０２から質問データを取得し、取得した質問データを変調器２０８に対して出力する。
【００１２】
搬送波発生部２０６は、送信搬送波を発生させるための処理を行い、発生した送信搬送波を変調器２０８に対して出力する。
変調器２０８は、データ送信部２０４から質問データを受け入れ、搬送波発生部２０６から送信搬送波を受け入れる。
さらに、変調器２０８は、質問データで送信搬送波に振幅変調をかけ、変調された送信搬送波を送信増幅器２１０に対して出力する。
【００１３】
送信増幅器２１０は、変調された送信搬送波を増幅し、増幅した送信搬送波を分配合成器２１２に対して出力する。
分配合成器２１２は、送信増幅器２１０からの送信搬送波を、アンテナ２００を介して応答器３に対して送信する。
また、分配合成器２１２は、応答器３からの受信波（搬送波）を、アンテナ２００を介して受信し、その受信波を検波器２２０に対して出力する。
【００１４】
検波器２２０は、分配合成器２１２から受信波を受け入れる。
また、検波器２２０は、受信波から復調波を取り出し、取り出した復調波を受信増幅器２２２に対して出力する。
受信増幅器２２２は、検波器２２０からの復調波を、処理しやすい状態まで増幅し、増幅した復調波を復調器２２４に対して出力する。
【００１５】
復調器２２４は、受信増幅器２２２からの復調波から、応答データを含むアナログ信号を復調し、復調したアナログ信号をレベル変換器２２６に対して出力する。
レベル変換器２２６は、復調器２２４からのアナログ信号をディジタル信号に変換する。
また、レベル変換器２２６は、変換したディジタル信号から応答データを取り出し、制御部２０２に対して出力する。
制御部２０２は、レベル変換器２２６からの応答データを管理端末１２に対して送信する。
【００１６】
図３は、図１に示した応答器３の構成を示す図である。
図３に示すように、応答器３は、アンテナ３００、変復調器３０２、制御部３０４およびメモリ３０６から構成される。
応答器３において、変復調器３０２は、アンテナ３００を介して質問器２から搬送波を受信する。
また、変復調器３０２は、受信した搬送波から、クロックおよび質問データを復調し、復調したクロックおよび質問データを制御部３０４に対して出力する。
さらに、変復調器３０２は、受信した搬送波から電磁誘導によって電力を取得し、取り出した電力を制御部３０４およびメモリ３０６に供給する。
【００１７】
制御部３０４は、変復調器３０２からの質問データを解析し、質問データの内容に応じて応答器３の構成部分全体を制御する。
メモリ３０６は、応答器３が貼付された製品等に関するＩＤデータなどのデータを格納する。
制御部３０４は、たとえば質問データの内容がデータの読み出しである場合、メモリ３０６に格納されたＩＤデータなどのデータを読み出す。
さらに、制御部３０４は、メモリ３０６から読み出したデータを含む応答データを作成し、変復調器３０２に対して出力する。
【００１８】
また、制御部３０４は、たとえば質問データの内容がデータの書き込みである場合、メモリ３０６に、質問データに含まれるデータを書き込む。
さらに、制御部３０４は、データ書き込みの結果を示す情報を含む応答データを作成し、変復調器３０２に対して出力する。
変復調器３０２は、制御部３０４から応答データを受け入れて変調処理を行い、その処理の結果生成した応答データを含む搬送波を、アンテナ３００を介して質問器２に対して送信する。
【００１９】
ここで、上記で述べたシステムの問題点について記述する。
応答器３のようなＩＣタグがシステムの使用者によって製品に貼付される際、使用者はＩＣタグの特性などを意識することなくＩＣタグを貼付することが多いため、本システムには以下のような問題がある。
（１）応答器３のアンテナ３００を製品の金属部などに貼付した場合、アンテナ特性が変化して信号の検知範囲が狭くなり、したがって安定した情報の検知が不可能となることがある。
（２）複数のＩＣタグを同時に検知して製品を管理するシステムの場合、複数のＩＣタグのアンテナ干渉が発生し、そのためアンテナ特性が変化して信号の検知範囲が狭くなり、したがって安定した情報の検知が不可能となることがある。
【００２０】
上記の場合、使用者に対して、信号の検知範囲が狭くならない位置にＩＣタグを配置するように示すことができれば、上記の問題は解消し、システムの安定性を向上させることができる。
以下に説明する第２の信号検知システム１０は、上記で述べた問題点を解消するように構成されている。
【００２１】
［本発明の実施形態］
以下、本発明の実施形態を説明する。
図４は、本発明にかかる第２の信号検知システム１０の構成を示す図である。
図４に示すように、第２の信号検知システム１０は、質問器２６、応答器３−１〜３−Ｎおよび管理端末１４から構成される。
なお、図４に示す第２の信号検知システム１０の内、図１に示した信号検知システム１の構成部分と実質的に同一のものには、同一の符号が付してある。
【００２２】
第２の信号検知システム１０において、質問器２６は、質問器２と同様に、応答器３に対して、電力波および質問データを含む信号を送信する。
また、質問器２６は、質問器２と同様に、応答器３からの応答データを含む信号を受信し、受信した応答データを管理端末１４に対して送信する。
さらに、質問器２６は、応答器３からの搬送波の波形が正常か否かを判定し、その判定結果を示すデータ（判定結果データ）を管理端末１４に対して送信する。
管理端末１４は、管理端末１２と同様に、質問器２からの応答データをモニタなどに表示する。
さらに、管理端末１４は、質問器２６からの判定結果データに基づいて、モニタに判定結果を表示する。
【００２３】
図５は、図４に示した質問器２６の構成を示す図である。
図５に示すように、質問器２６は、アンテナ２００、制御部２０２、データ送信部２０４、搬送波発生部２０６、変調器２０８、送信増幅器２１０、分配合成器２１２、検波器２２０、受信増幅器２２２、復調器２２４、レベル変換器２２６、波形判定回路２６０および判定結果表示部２７０から構成される。
なお、図５に示す質問器２６の内、図２に示した質問器２の構成部分と実質的に同一のものには、同一の符号が付してある。
【００２４】
波形判定回路２６０は、サンプリング処理部２６２、波形データ判定部２６４および正常データ格納部２６６から構成される。
波形判定回路２６０は、これらの構成部分により、応答器３から受信した搬送波の波形から、受信信号に含まれる応答データを安定して検知できるか否かを判定する。
また、波形判定回路２６０は、判定結果を制御部２０２に対して出力する。
【００２５】
波形判定回路２６０において、サンプリング処理部２６２は、受信増幅器２２２からの信号を所定時間毎にサンプリングし、サンプリングデータを波形データ判定部２６４に対して出力する。
正常データ格納部２６６は、正常な波形データ（正常波形データ）を格納する。
また、正常データ格納部２６６は、波形データ判定部２６４からの要求に応じて、格納した正常波形データを波形データ判定部２６４に対して出力する。
波形データ判定部２６４は、サンプリング処理部２６２からのサンプリングデータと、正常データ格納部２６６からの正常波形データとを比較する。
さらに、波形データ判定部２６４は、サンプリングデータと正常波形データとの比較の結果、受信信号に含まれる情報を検知することが可能か否かを判定し、判定結果データを制御部２０２に対して出力する。
【００２６】
図６は、質問器２６が応答器３から受信する副搬送波の波形を例示する図であり、図６（Ａ）は、正常な副搬送波を示し、図６（Ｂ）〜（Ｄ）は異常な副搬送波を示す。
また、図６（Ｂ）は、振幅が連続していない副搬送波（矢印Ｂで示す）を示し、図６（Ｃ）はリギングが発生している副搬送波（矢印Ｃで示す）を示し、図６（Ｄ）は欠落のある副搬送波（矢印Ｄで示す）を示す。
【００２７】
搬送波の波形が図６（Ｂ）〜（Ｄ）に示すように変化した場合、安定した情報の検知が不可能となる。
波形判定回路２６０（図５）は、正常な波形データとの比較によって、図６（Ｂ）〜（Ｄ）に示すような副搬送波の波形変化を監視し、これら異常波形を検出した場合は「異常」を示す判定結果データを作成し、そうでない場合は「正常」を示す判定結果データを作成する。
ここで、応答器３からの変調データはマンチェスタ符号化されているので、応答信号の副搬送波の数の想定が容易である。
したがって、正常波形データと応答器３からの信号のサンプリングデータとを比較することによって、応答データの検知の可否を判定することができる。
【００２８】
制御部２０２は、波形データ判定部２６４からの判定結果データを、管理端末１４に対して送信する。
また、制御部２０２は、判定結果データを判定結果表示部２７０に対して出力する。
判定結果表示部２７０は、制御部２０２からの判定結果データに基づいて判定結果を表示する。具体的には、たとえば、質問器２６の表面に設けられたＬＥＤに反映させたり、ブザーを鳴らすなどすることによって表示することができる。
【００２９】
図７は、図４に示した管理端末１４の構成を示す図である。
図７に示すように、管理端末１４は、データ受信部１４２、判定結果表示選択部１４４、応答データ表示処理部１４６および表示部１４８から構成される。
管理端末１４において、データ受信部１４２は、質問器２６から、判定結果データおよび応答データを受信する。
また、データ受信部１４２は、受信した判定結果データを判定結果表示選択部１４４に対して出力し、応答データを応答データ表示処理部１４６に対して出力する。
【００３０】
判定結果表示選択部１４４は、データ受信部１４２からの判定結果データが「正常」を示す場合、応答データを正常に検知できることを示す表示データを、表示部１４８に対して出力する。
また、判定結果表示選択部１４４は、データ受信部１４２からの判定結果データが「異常」を示す場合、以下のような処理を行う。
（１）複数の応答器３から「異常」を示す判定結果データを受信した場合は、他の応答器３あるいは別の無線機との干渉が発生していることを管理者に通知するための表示データを、表示部１４８に対して出力する。
（２）特定の応答器３のみから「異常」を示す判定結果データを受信した場合は、応答器３の製品に対する取付け位置が不適切であるか、あるいは応答器３が劣化していることを管理者に通知するための表示データを、表示部１４８に対して出力する。
【００３１】
応答データ表示処理部１４６は、データ受信部１４２からの応答データの内容を表示するための表示データを、表示部１４８に対して出力する。
表示部１４８は、たとえばモニタなどであり、判定結果表示選択部１４４および応答データ表示処理部１４６からの表示データに基づいて、判定結果および応答データの内容を表示する。
システムの管理者は、表示部１４８の表示内容に基づいて、ＩＣタグの製品に対する配置を変更するなどといった対策を講じることができ、したがって、応答データの検知性能を向上させることができる。
【００３２】
図８は、判定結果表示選択部１４４および表示部１４８において、判定結果を表示するための処理を示したフローチャートである。
図８に示すように、ステップ１００（Ｓ１００）において、判定結果表示選択部１４４は、判定結果を取得する。
ステップ１０２（Ｓ１０２）において、判定結果表示選択部１４４は、判定結果が「正常」を示すデータか否かを判断し、「正常」を示すデータであればＳ１０４に進み、そうでない場合はＳ１０６に進む。
ステップ１０４（Ｓ１０４）において、表示部１４８は、「正常な検知可能」と表示する。
【００３３】
ステップ１０６（Ｓ１０６）において、判定結果表示選択部１４４は、複数の応答器３から「異常」を示すデータを受信したか否かを判断し、そうである場合はＳ１０８に進み、そうでない場合はＳ１１０に進む。
ステップ１０８（Ｓ１０８）において、表示部１４８は、「他の応答器あるいは別の無線機との干渉が発生している」などといった内容のメッセージを表示する。
ステップ１１０（Ｓ１１０）において、表示部１４８は、「応答器の製品に対する取付け位置が不適切であるか、あるいは応答器が劣化している」などといった内容のメッセージを表示する。
【００３４】
図９は、表示部１４８が表示する画面を例示する図であり、図９（Ａ）は応答データの正常な検知が可能である場合の図であり、図９（Ｂ）は応答データの正常な検知が不可能である場合の図である。
図９（Ａ）に示すように、表示部１４８は、応答データの正常な検知が可能である場合、「正常な検知可能」などといったメッセージを表示する。
さらに、表示部１４８は、応答データの内容に応じて、応答器３が貼付した製品のＩＤデータや商品情報など含む応答データ、あるいは、応答器３に対して情報の書き込みが完了したことを示す応答データを表示する。
【００３５】
また、図９（Ｂ）に示すように、表示部１４８は、応答データの正常な検知が不可能である場合、「正常な検知不可能」などといったメッセージを表示する。
さらに、表示部１４８は、判定結果表示選択部１４４からの表示データの内容に応じて、「タグの取付け位置が不適切であるか、タグが劣化しています」、「他のタグまたは無線機と干渉しています」あるいは「設置環境の影響を受けています」などといったメッセージを表示する。
なお、図９に示した表示内容については、管理者の管理方法などに応じて、適宜、変更可能である。
【００３６】
［信号検知システム１０の全体的な動作］
図１０は、図４に示した第２の信号検知システム１０において、質問器２６が応答器３から受信した応答データを正常に検知できるか否かを表示するための全体的な動作（Ｓ２０）を示すシーケンス図である。
図１０に示すように、ステップ２００（Ｓ２００）において、質問器２６は、応答器３に対して質問データを送信する。
ステップ２０２（Ｓ２０２）において、応答器３は、質問器２６に対して応答データを含む信号を送信する。
【００３７】
ステップ２０４（Ｓ２０４）において、質問器２６は、応答器３から受信した信号の波形が正常か否か判定する。
ステップ２０６（Ｓ２０６）において、質問器２６は、判定結果を管理端末１４に対して出力する。
ステップ２０８（Ｓ２０８）において、管理端末１４は、判定結果を表示する。
【００３８】
なお、本実施形態において、応答器３はＩＣタグとしたが、たとえばＩＣカードであってもよい。
また、本実施形態において、応答器３からの搬送波の波形変化を監視する方法として、受信信号をサンプリングしたサンプリングデータと正常波形データとを比較するようにしたが、正常な波形形状を格納しておいて、その正常な波形形状と搬送波の波形形状とを比較するように構成してもよい。
【産業上の利用可能性】
【００３９】
本発明は、信号検知システムに利用可能である。
【図面の簡単な説明】
【００４０】
【図１】信号検知システムの構成を示す図である。
【図２】図１に示した質問器の構成を示す図である。
【図３】図１に示した応答器の構成を示す図である。
【図４】本発明にかかる第２の信号検知システムの構成を示す図である。
【図５】図４に示した質問器の構成を示す図である。
【図６】質問器が応答器から受信する副搬送波の波形を例示する図である。
【図７】図４に示した管理端末の構成を示す図である。
【図８】判定結果表示選択部および表示部において、判定結果を表示するための処理を示したフローチャートである。
【図９】表示部が表示する画面を例示する図である。
【図１０】図４に示した第２の信号検知システムにおいて、質問器が応答器から受信した応答データを正常に検知できるか否かを表示するための全体的な動作を示すシーケンス図である。
【符号の説明】
【００４１】
１・・・信号検知システム，
２・・・質問器，
２００・・・アンテナ，
２０２・・・制御部，
２０４・・・データ送信部，
２０６・・・搬送波発生部，
２０８・・・変調器，
２１０・・・送信増幅器，
２１２・・・分配合成器，
２２０・・・検波器，
２２２・・・受信増幅器，
２２４・・・復調器，
２２６・・・レベル変換器，
３−１〜３−Ｎ・・・応答器，
３００・・・アンテナ，
３０２・・・変復調器，
３０４・・・制御部，
３０６・・・メモリ，
１２・・・管理端末，
１０・・・第２の信号検知システム，
２６・・・質問器，
２６０・・・波形判定回路，
２６２・・・サンプリング処理部，
２６４・・・波形データ判定部，
２６６・・・正常データ格納部，
１４・・・管理端末，
１４２・・・データ受信部，
１４４・・・判定結果表示選択部，
１４６・・・応答データ表示処理部，
１４８・・・表示部，
【図１】
2008191801.tif 000003
【図２】
2008191801.tif 000004
【図３】
2008191801.tif 000005
【図４】
2008191801.tif 000006
【図５】
2008191801.tif 000007
【図６】
2008191801.tif 000008
【図７】
2008191801.tif 000009
【図８】
2008191801.tif 000010
【図９】
2008191801.tif 000011
【図１０】
2008191801.tif 000012